(57)【要約】【課題】ヒートン、ハンドグリップなどのバスタブ付設器具を固定するナットあるいはボルトなどの緊締部品の頭部に所定量のコーキング剤の塗布を可能とし、しかも、施工作業に伴う汚れを回避するとともに、コーキング剤の塗布に伴う作業性を向上し、均質な施工結果が得られるようにする。【解決手段】バスタブ付設器具２・３をバスタブ１の壁面に固定するナット４またはボルト６などの緊締部品の頭部にコーキング剤Ｃが注入されたキャップ８・９を被着する。【選択図】　　図１
2004089568.tif 000002
【特許請求の範囲】
【請求項１】
バスタブ付設器具をバスタブの壁面に固定するナットまたはボルトなどの緊締部品の頭部にコーキング剤が注入されたキャップを被着するようにしたことを特徴とするコーキング構造。
【請求項２】
キャップが通気性を具えていることを特徴とする請求項１記載のコーキング構造。
【発明の詳細な説明】
【０００１】
【発明の属する技術分野】
本発明は、浴室に配設されるバスタブに固定した排水栓のヒートン、ハンドグリップなどのバスタブ付設器具の防水性を向上するとともに、コーキング剤の無駄を排除して均質な施工結果が得られるようにし、作業性を向上するようにしたコーキング構造に関するものである。
【０００２】
【従来の技術】
従来、図４に示すごとき浴室に配設されるバスタブ１の壁面にはバスタブ付設器具として、通常、排水栓のヒートン２、そしてハンドグリップ３が取り付けられ、固定されている。図５はヒートン２の従来の一般的な取付状態を示すもので、バスタブ１の壁面に形成した貫通孔１ａにヒートン２のボルト２ａを挿通し、このボルト２ａにナット４を螺着する。そして、このナット４を緊締し、ヒートン２の座板２ｂでパッキン５を圧締することにより防水状態を保つようにしている。また、さらにこのヒートン２の取付部分の防水性の向上およびナット４の緩み防止のため、このナット４の部分に同図に示すごとくコーキング剤Ｃを塗布するようにしている。
【０００３】
図６はハンドグリップ３の従来の一般的な取付状態を示すもので、バスタブ１の壁面に形成した貫通孔１ｂにボルト６を挿通し、このボルト６をハンドグリップ３に螺着する。そして、このボルト６を緊締し、ハンドグリップ３の取付端面でパッキン７を圧締することにより防水状態を保つようにしている。また、さらにこのハンドグリップ３の取付部分の防水性の向上およびボルト６の緩み防止のため、このボルト６のボルトヘッド６ａの部分に同図に示すごとくコーキング剤Ｃを塗布するようにしている。
【０００４】
【発明が解決しようとする課題】
このような従来の取付構造において、コーキング剤Ｃの塗布処理は図７に示すごとく、コーキングガンＧによりなされる。ところが、コーキングガンＧのノズルからコーキング剤Ｃを所定量のみ、均等に吐出させることができず、往々にして余分に吐出するものであり、塗布形状も安定したものとならない。
【０００５】
また、コーキング剤Ｃはその粘性が高いことにより、コーキングガンＧにより塗布したままでは密着性が乏しく、空気層が残るなどの問題があるため、塗布作業後に指先で押さえ付け、塗布形状を整えるなどの作業を必要とするものであった。したがって、その作業により指先が汚れたり、塗布を必要とする部分以外を汚すような問題があった。
【０００６】
本発明は、かかる従来の問題に鑑みなされたもので、ヒートン、ハンドグリップなどのバスタブ付設器具を固定するナットあるいはボルトなどの緊締部品の頭部に所定量のコーキング剤を塗布することを可能とするもので、しかも、施工作業に伴う汚れを回避するとともに、コーキング剤の塗布に伴う作業性を向上し、均質な施工結果が得られるようにするものである。
【０００７】
【課題を解決するための手段】
そこで本発明は、バスタブ付設器具をバスタブの壁面に固定するナットまたはボルトなどの緊締部品の頭部にコーキング剤が注入されたキャップを被着するようにする。さらに、前記キャップが通気性を具えた素材であるものを採用し、上記課題を解決する。
【０００８】
【発明の実施の形態】
以下、本発明の実施の形態を図にもとづいて詳細に説明する。なお、従来と同一の構成については同一の符号を付してその説明を省略する。
【０００９】
図１は、本発明の第１実施例を示す断面図であり、ヒートン２のボルト２ａをバスタブ１の壁面に形成した貫通孔１ａに挿通し、このボルト２ａにナット４を螺着する。そして、このナット４を緊締し、ヒートン２の座板２ｂでパッキン５を圧締する。つぎに、前記ナット４を包容する内周形状のキャップ８へ、図２に示すごとくコーキングガンＧまたはその他の適宜手段によりコーキング剤Ｃを注入する。なお、前記キャップ８は合成樹脂などの任意の素材で成形し得るが、コーキング剤Ｃが吸湿硬化し易いようにするため、通気性素材の採用または通気加工を施すようにしてもよい。また、キャップ８に通気性を具えない素材を採用した場合は、施工後の防水性を向上することができる。
【００１０】
前述のごとくしてキャップ８に所定量のコーキング剤Ｃを注入し、図１に示すようにナット４の頭部に押圧しつつ被着すると、キャップ８の内部のコーキング剤Ｃがその押圧力でナット４およびボルト２ａの隅々まで浸入する。そして、コーキング剤Ｃはキャップ８の開放端から漏出して外気と接触するため、ここから大気中の湿気を吸収することが可能となるが、キャップ８が通気性素材あるいは通気加工が施されたものである場合、キャップ自体からも湿気を吸収することができる。なお、キャップ８の被着に際し、その開放端からのコーキング剤の漏出量の確認により被着状態を確認することができるので、均質な施工が可能となる。
なお、本実施例においては、コーキング剤としてシリコン系の吸湿硬化型を前提として説明したが、この他、水分散型あるいは溶剤揮発硬化型の接着剤や２液硬化型の接着剤の使用も可能である。
【００１１】
図３は、本発明の第２実施例を示す断面図であり、バスタブ１の壁面に形成した貫通孔１ｂにボルト６を挿通し、このボルト６をハンドグリップ３のネジ孔３ａに螺着するようにしたものである。そして、このボルト６を緊締し、ハンドグリップ３の取付端面でパッキン７を圧締することにより防水状態を保つようにする。つぎに、前記ボルト６のボルトヘッド６ａを包容する内周形状のキャップ９へ所定量のコーキング剤Ｃを注入し、ボルトヘッド６ａへ押圧しつつ被着することにより第１実施例と同様の施工結果が得られる。
【００１２】
【発明の効果】
以上、詳細に説明したごとく本発明によれば、ヒートン、ハンドグリップなどのバスタブ付設器具を固定するナット、あるいはボルトなどの緊締部品の頭部に所定量のコーキング剤の塗布が可能となり、コーキング剤の無駄を排除することができる。さらに、緊締部品の頭部を包容するキャップを用いるようにしたことから、コーキング剤の塗布形状の指先による整形が不要となるので、施工作業に伴う汚れもなくなり、また、均質な施工結果が得られるとともに作業性を向上することができる。そして、本発明によれば、キャップが補強材となるので、コーキング剤の塗布がより堅牢なものとなり緊締部品の緩みを確実に防止できるとともに防水性をさらに向上することができるなど多大の効果を奏するものである。
【図面の簡単な説明】
【図１】本発明の第１実施例の断面図である。
【図２】コーキング剤の注入状態を説明するための斜視図である。
【図３】本発明の第２実施例の断面図である。
【図４】バスタブ付設器具が取り付けられた状態のバスタブの斜視図である。
【図５】従来のヒートンの取付状態の断面図である。
【図６】従来のハンドグリップの取付状態の断面図である。
【図７】従来のコーキング剤の塗布作業を説明するための図である。
【符号の説明】
１・・・・・・バスタブ
１ａ・・・・・貫通孔
２・・・・・・ヒートン
２ａ・・・・・ボルト
２ｂ・・・・・座板
３・・・・・・ハンドグリップ
３ａ・・・・・ネジ孔
４・・・・・・ナット
５・・・・・・パッキン
６・・・・・・ボルト
６ａ・・・・・ボルトヘッド
７・・・・・・パッキン
８・９・・・・キャップ
【図１】
2004089568.tif 000003
【図２】
2004089568.tif 000004
【図３】
2004089568.tif 000005
【図４】
2004089568.tif 000006
【図５】
2004089568.tif 000007
【図６】
2004089568.tif 000008
【図７】
2004089568.tif 000009